(57)【特許請求の範囲】
【請求項１】
交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置において、
前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記外気温度検出手段により検出される外気温度が前記第１の設定温度よりも高くなった場合、あるいは前記放熱器温度検出手段により検出される放熱器温度が前記第２の設定温度よりも高くなった場合に、拘束通電による前記圧縮機の加熱を停止する冷媒寝込み防止制御装置を有していることを特徴とする空気調和機用圧縮機の駆動制御装置。
【請求項２】
前記冷媒寝込み防止制御装置は、拘束通電による前記圧縮機の加熱停止後、冷媒が寝込む可能性のない所定時間の間は、前記拘束通電による圧縮機の加熱を禁止することを特徴とする請求項１に記載の空気調和機用圧縮機の駆動制御装置。
【請求項３】
交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置において、
前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記放熱器温度検出手段により検出される放熱器温度が充分に前記圧縮機を加熱したと推定できる第３の設定温度になった場合に、拘束通電による前記圧縮機の加熱を停止する冷媒寝込み防止制御装置を有していることを特徴とする空気調和機用圧縮機の駆動制御装置。
【請求項４】
交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置における空気調和機用圧縮機の冷媒寝込み防止制御方法において、
前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記外気温度検出手段により検出される外気温度が前記第１の設定温度よりも高くなった場合、あるいは前記放熱器温度検出手段により検出される放熱器温度が前記第２の設定温度よりも高くなった場合に、拘束通電による前記圧縮機の加熱を停止することを特徴とする空気調和機用圧縮機の冷媒寝込み防止制御方法。
【請求項５】
拘束通電による前記圧縮機の加熱停止後、冷媒が寝込む可能性のない所定時間の間は、前記拘束通電による圧縮機の加熱を禁止することを特徴とする請求項４に記載の空気調和機用圧縮機の冷媒寝込み防止制御方法。
【請求項６】
交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置における空気調和機用圧縮機の冷媒寝込み防止制御方法において、
前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記放熱器温度検出手段により検出される放熱器温度が充分に前記圧縮機を加熱したと推定できる第３の設定温度になった場合に、拘束通電による前記圧縮機の加熱を停止することを特徴とする空気調和機用圧縮機の冷媒寝込み防止制御方法。
【発明の詳細な説明】
【０００１】
【発明の属する技術分野】
この発明は、空気調和機用圧縮機の駆動制御装置および空気調和機用圧縮機の冷媒寝込み防止制御方法に関するものである。
【０００２】
【従来の技術】
空気調和機の室外機において、低温状態での圧縮機停止中には、圧縮機に冷媒が集まる冷媒寝込み現象が発生することがあり、冷媒寝込み現象が発生すると、圧縮機の起動負荷が大きくなり、圧縮機の破損につながったり、大きな起動電流によりシステム異常と見なされ、起動できない等の不具合の発生につながる。
【０００３】
一般に、圧縮機への冷媒寝込み防止対策として、圧縮機停止中は、常時あるいは断続的にヒータにより圧縮機を加熱したり、インバータにより運転する圧縮機においては、圧縮機駆動モータに対して拘束通電（圧縮機が駆動されない低電圧印加）することにより、圧縮機モータによって圧縮機を加熱することが行われている。
【０００４】
圧縮機を加熱するヒータの通電制御としては、実開昭５５−６１２８０号公報に示されているように、圧縮機の表面温度と凝縮器のパイプ表面温度を検出し、この温度差を寝込み現象が起きる臨界温度差以上に保つようにヒータ通電を制御するものや、特開平４ー２５４５１５２号公報に示されているように、凝縮器の温度と蒸発器の温度と圧縮機の温度を検出し、圧縮機非駆動時において、圧縮機温度が凝縮器温度と蒸発器温度とで低いほうの温度より所定値高く設定された第１の所定温度に達さない時にヒータ通電を行い、圧縮機温度が凝縮器温度と蒸発器温度とで低いほうの温度より所定値高く設定された第２の所定温度に達した時にヒータ通電を停止するものがある。
【０００５】
【発明が解決しようとする課題】
ヒータによって圧縮機を加熱するものは、圧縮機加熱用のヒータを新たに設ける必要があり、圧縮機を加熱をしている間は、電力が浪費されている。
【０００６】
従来のヒータ通電制御では、電力消費を節減できるが、冷媒寝込み防止のための必要最小限にまで電力消費を節減するには至らず、しかも、ヒータ通電制御のために、圧縮機温度、凝縮器温度、蒸発器温度を検出するためのサーミスタや、その温度検出回路およびサーミスタから温度検出回路への配線が必要になり、部品点数、組付け工数の増加を避けることができず、コスト高になる。
【０００７】
この発明は、上述の如き問題点を解消するためになされたもので、冷媒寝込み防止のための圧縮機加熱用ヒータ、サーミスタ、温度検出回路等を別途必要とすることがなく、既存の温度検出手段を使用して冷媒寝込み防止のための電力消費を必要最小限にまで節減することができる空気調和機用圧縮機の駆動制御装置および空気調和機用圧縮機の冷媒寝込み防止制御方法を得ることを目的としている。
【０００８】
【課題を解決するための手段】
上述の目的を達成するために、この発明による空気調和機用圧縮機の駆動制御装置は、交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置において、前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記外気温度検出手段により検出される外気温度が前記第１の設定温度よりも高くなった場合、あるいは前記放熱器温度検出手段により検出される放熱器温度が前記第２の設定温度よりも高くなった場合に、拘束通電による前記圧縮機の加熱を停止する冷媒寝込み防止制御装置を有しているものである。
【０００９】
つぎの発明による空気調和機用圧縮機の駆動制御装置は、前記冷媒寝込み防止制御装置が、拘束通電による前記圧縮機の加熱停止後、冷媒が寝込む可能性のない所定時間の間は、前記拘束通電による圧縮機の加熱を禁止するものである。
【００１０】
つぎの発明による空気調和機用圧縮機の駆動制御装置は、交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置において、前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記放熱器温度検出手段により検出される放熱器温度が充分に前記圧縮機を加熱したと推定できる第３の設定温度になった場合に、拘束通電による前記圧縮機の加熱を停止する冷媒寝込み防止制御装置を有しているものである。
【００１１】
また、上述の目的を達成するために、この発明による空気調和機用圧縮機の冷媒寝込み防止制御方法は、交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置における空気調和機用圧縮機の冷媒寝込み防止制御方法において、前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度がインバータが駆動していないと想定できる第２の設定温度以下である場合に、前記圧縮機が運転されないように前記インバータ素子を駆動して前記圧縮機駆動用モータの巻線に拘束通電を行い、拘束通電中に前記外気温度検出手段により検出される外気温度が前記第１の設定温度よりも高くなった場合、あるいは前記放熱器温度検出手段により検出される放熱器温度が前記第２の設定温度よりも高くなった場合に、拘束通電による前記圧縮機の加熱を停止するものである。
【００１２】
つぎの発明による空気調和機用圧縮機の冷媒寝込み防止制御方法は、拘束通電による前記圧縮機の加熱停止後、冷媒が寝込む可能性のない所定時間の間は、前記拘束通電による圧縮機の加熱を禁止するものである。
【００１３】
つぎの発明による空気調和機用圧縮機の冷媒寝込み防止制御方法は、交流電力を直流電力に変換する整流器と、前記整流器で得られた直流電力を任意の周波数の交流電力に変換して圧縮機駆動用モータを運転するインバータ素子と、前記インバータ素子を駆動するインバータ制御回路と、前記整流器およびインバータ素子の熱を放熱するための放熱器と、外気温度を検出する外気温度検出手段と、前記インバータ素子の駆動時および非駆動時の前記放熱器の温度を検出する放熱器温度検出手段とを備えた空気調和機用圧縮機の駆動制御装置における空気調和機用圧縮機の冷媒寝込み防止制御方法において、前記圧縮機停止中に、前記外気温度検出手段により検出される外気温度が、前記圧縮機に冷媒が寝込む可能性がある第１の設定温度以下であり、かつ、前記放熱器温度検出手段により検出される放熱器温度が、インバータが駆動していないと想定できる第２の設定温度以下である場合に、前記圧縮機が運転されないように前記インバータ素子を駆動して前記圧縮機駆動用モータの巻線に拘束通電を行い、拘束通電中に、前記放熱器温度検出手段により検出される放熱器温度が充分に前記圧縮機を加熱したと推定できる第３の設定温度になった場合に、拘束通電による前記圧縮機の加熱を停止するものである。
【００１４】
【発明の実施の形態】
以下に添付の図を参照して、この発明にかかる空気調和機用圧縮機の駆動制御装置および空気調和機用圧縮機の冷媒寝込み防止制御方法の実施の形態を詳細に説明する。
【００１５】
実施の形態１．
図１はこの発明による空気調和機用圧縮機の駆動制御装置の一つの実施の形態を示している。図１において、１は交流電力、２は交流電力１を直流電力に変換する整流器、３は整流器２にて変換した直流電力を任意の周波数の交流電力に変換するインバータ素子、４は整流器２とインバータ素子３が駆動したときに発生する熱を放熱するための放熱器、５は圧縮機駆動用モータ、６は圧縮機駆動用モータ５により駆動される冷凍サイクル中の圧縮機、７はインバータ素子３を駆動するインバータ制御装置とそれぞれ示しており、これらは空気調和機の室外機に設けられている。
【００１６】
室外機には、外気温度を検出する外気温度検出器８と、放熱器４の温度を検出する放熱器温度検出器９とが設けられている。外気温度検出器８は空気調和機（圧縮機）の駆動制御に必要な外気温度の検出のために必要な既存の温度検出器、換言すれば、従来機も有している温度検出器であり、放熱器温度検出器９は整流器２やインバータ素子３が駆動したときの発熱による故障の保護用に通常設けられている温度検出器で、従来機も有している温度検出器である。
【００１７】
インバータ制御装置７は、冷媒寝込み防止制御部１０を有しており、冷媒寝込み防止制御部１０は、外気温度検出器８により検出される外気温度と、放熱器温度検出器９により検出される放熱器温度とを取り込み、以下の条件で、圧縮機駆動用モータ５の巻線に対する拘束通電の制御を行う。
【００１８】
（１）圧縮機停止中に、外気温度検出器８により検出される外気温度Ｔａが、圧縮機６に冷媒が寝込む可能性がある第１の設定温度Ｔｓｅｔ１以下であり、かつ、放熱器温度検出器９により検出される放熱器温度Ｔｂが、インバータが駆動していないと想定できる第２の設定温度Ｔｓｅｔ２以下である場合に、インバータ素子３を駆動して圧縮機駆動用モータ５の巻線に拘束通電を行う。
【００１９】
（２）拘束通電中に、外気温度検出器８により検出される外気温度Ｔａが第１の設定温度Ｔｓｅｔ１よりも高くなった場合、あるいは放熱器温度検出器９により検出される放熱器温度Ｔｂが第２の設定温度Ｔｓｅｔ２よりも高くなった場合に、拘束通電を停止する。
【００２０】
（３）（２）の条件による拘束通電停止後、冷媒が寝込む可能性のない所定時間ｔの間は、（１）の条件が成立しても、拘束通電を禁止する。
【００２１】
つぎに、図２を参照して上述の構成による空気調和機用圧縮機の駆動制御装置の動作およびこの発明による空気調和機用圧縮機の冷媒寝込み防止制御方法の実施例を説明する。
【００２２】
圧縮機停止中、外気温度検出器８により検出される外気温度Ｔａが、圧縮機６に冷媒が寝込む可能性がある第１の設定温度Ｔｓｅｔ１以下であるか否かの判別を行い（ステップＳ１１）、外気温度Ｔａが第１の設定温度Ｔｓｅｔ１以下でなければ（ステップＳ１１否定）、冷媒が寝込む可能性がないから、節電のために、拘束通電は行わず、圧縮機６を加熱しない（ステップＳ１５）。
【００２３】
これに対し、外気温度Ｔａが第１の設定温度Ｔｓｅｔ１以下であれば（ステップＳ１１肯定）、つぎに、放熱器温度検出器９により検出される放熱器温度Ｔｂが、インバータが駆動していないと想定できる第２の設定温度Ｔｓｅｔ２以下であるか否かの判別を行う（ステップＳ１２）。放熱器温度Ｔｂが第２の設定温度Ｔｓｅｔ２以下でない時は（ステップＳ１２否定）、直前までインバータ駆動が行われていて、外気温度が低くても、圧縮機６の温度が、冷媒が寝込む可能性がある温度まで低下しいないと推定できる時であり、この時には、節電のために、拘束通電は行わず、圧縮機６を加熱しない（ステップＳ１５）。
【００２４】
これに対し、放熱器温度Ｔｂが第２の設定温度Ｔｓｅｔ２以下であれば（ステップＳ１２肯定）、つぎに、拘束通電停止後、冷媒が寝込む可能性のない所定時間ｔが経過してないか否かの判別を行う（ステップＳ１３）。拘束通電停止後、冷媒が寝込む可能性のない所定時間ｔが経過してない時は（ステップＳ１３肯定）、冷媒が寝込む可能性がないから、節電のために、拘束通電は行わず、圧縮機６を加熱しない（ステップＳ１５）。
【００２５】
これに対し、拘束通電停止後、冷媒が寝込む可能性のない所定時間ｔが経過していれば（ステップＳ１３肯定）、インバータ素子３を駆動して圧縮機駆動用モータ５の巻線に拘束通電を行う（ステップＳ１４）。この拘束通電により、圧縮機駆動用モータ５の巻線が発熱し、圧縮機６の加熱が行われ、冷媒寝込み現象の発生が回避される。
【００２６】
これにより、最小必要限度の拘束通電によって冷媒寝込み現象の発生が回避される。
【００２７】
実施の形態２．
実施の形態２による空気調和機用圧縮機の駆動制御装置のハードウェア構成は実施の形態１のものと同等であってよく、その説明は省略する。
【００２８】
実施の形態２でも、冷媒寝込み防止制御部１０は、外気温度検出器８により検出される外気温度と、放熱器温度検出器９により検出される放熱器温度とを取り込み、以下の条件で、圧縮機駆動用モータ５の巻線に対する拘束通電の制御を行う。
【００２９】
（１）圧縮機停止中に、外気温度検出器８により検出される外気温度Ｔａが、圧縮機６に冷媒が寝込む可能性がある第１の設定温度Ｔｓｅｔ１以下であり、かつ、放熱器温度検出器９により検出される放熱器温度Ｔｂが、インバータが駆動していないと想定できる第２の設定温度Ｔｓｅｔ２以下である場合に、インバータ素子３を駆動して圧縮機駆動用モータ５の巻線に拘束通電を行う。
【００３０】
（２）拘束通電中に、放熱器温度検出器９により検出される放熱器温度Ｔｂが圧縮機６を充分に加熱したと推定できる第３の設定温度Ｔｓｅｔ３よりも高くなった場合に、拘束通電を停止する。
【００３１】
つぎに、図３を参照して上述の構成による空気調和機用圧縮機の駆動制御装置の動作およびこの発明による空気調和機用圧縮機の冷媒寝込み防止制御方法の実施例を説明する。
【００３２】
圧縮機停止中、外気温度検出器８により検出される外気温度Ｔａが、圧縮機６に冷媒が寝込む可能性がある第１の設定温度Ｔｓｅｔ１以下であるか否かの判別を行い（ステップＳ２１）、外気温度Ｔａが第１の設定温度Ｔｓｅｔ１以下でなければ（ステップＳ２１否定）、冷媒が寝込む可能性がないから、節電のために、拘束通電は行わず、圧縮機６を加熱しない（ステップＳ２５）。
【００３３】
これに対し、外気温度Ｔａが第１の設定温度Ｔｓｅｔ１以下であれば（ステップＳ２１肯定）、つぎに、放熱器温度検出器９により検出される放熱器温度Ｔｂが、インバータが駆動していないと想定できる第２の設定温度Ｔｓｅｔ２以下であるか否かの判別を行う（ステップＳ２２）。放熱器温度Ｔｂが第２の設定温度Ｔｓｅｔ２以下でない時は（ステップＳ２２否定）、直前までインバータ駆動が行われていて、外気温度が低くても、圧縮機６の温度が、冷媒が寝込む可能性がある温度まで低下しいないと推定できる時であり、この時には、節電のために、拘束通電は行わず、圧縮機６を加熱しない（ステップＳ２５）。
【００３４】
これに対し、放熱器温度Ｔｂが第２の設定温度Ｔｓｅｔ２以下であれば（ステップＳ２２肯定）、インバータ素子３を駆動して圧縮機駆動用モータ５の巻線に拘束通電を行う（ステップＳ２３）。この拘束通電により、圧縮機駆動用モータ５の巻線が発熱し、圧縮機６の加熱が行われ、冷媒寝込み現象の発生が回避される。
【００３５】
拘束通電中は、放熱器温度検出器９により検出される放熱器温度Ｔｂが圧縮機６を充分に加熱したと推定できる第３の設定温度Ｔｓｅｔ３よりも高くなったか否かの判別を行う（ステップＳ２４）。放熱器温度Ｔｂが第３の設定温度Ｔｓｅｔ３よりも高くまるまでは（ステップ２４否定）拘束通電を続行し、放熱器温度Ｔｂが第３の設定温度Ｔｓｅｔ３よりも高くなれば（ステップＳ２４肯定）、拘束通電を停止する（ステップＳ２５）。
【００３６】
これにより、最小必要限度の拘束通電によって冷媒寝込み現象の発生が回避される。
【００３７】
【発明の効果】
以上の説明から理解される如く、この発明による空気調和機用圧縮機の駆動制御装置によれば、圧縮機停止中に、外気温度検出手段により検出される外気温度が、圧縮機に冷媒が寝込む可能性がある第１の設定温度以下であり、かつ、放熱器温度検出手段により検出される放熱器温度が、インバータが駆動していないと想定できる第２の設定温度以下である場合に、圧縮機駆動用モータの巻線に拘束通電を行い、拘束通電中に、外気温度検出手段により検出される外気温度が第１の設定温度よりも高くなった場合、あるいは放熱器温度検出手段により検出される放熱器温度が第２の設定温度よりも高くなった場合に、拘束通電による圧縮機の加熱を停止するから、冷媒寝込み防止のための圧縮機加熱用ヒータ、サーミスタ、温度検出回路等を別途必要とすることなく、既存の温度検出手段を使用して冷媒寝込み防止のための電力消費を必要最小限にまで節減することができる。
【００３８】
つぎの発明による空気調和機用圧縮機の駆動制御装置によれば、拘束通電による圧縮機の加熱停止後、冷媒が寝込む可能性のない所定時間の間は、拘束通電による圧縮機の加熱を禁止するから、拘束通電のハンチングが回避され、冷媒寝込み防止が行われる。
【００３９】
つぎの発明による空気調和機用圧縮機の駆動制御装置によれば、圧縮機停止中に、外気温度検出手段により検出される外気温度が、圧縮機に冷媒が寝込む可能性がある第１の設定温度以下であり、かつ、放熱器温度検出手段により検出される放熱器温度が、インバータが駆動していないと想定できる第２の設定温度以下である場合に、圧縮機駆動用モータの巻線に拘束通電を行い、拘束通電中に、前記放熱器温度検出手段により検出される放熱器温度が充分に圧縮機を加熱したと推定できる第３の設定温度になった場合に、拘束通電による圧縮機の加熱を停止するから、冷媒寝込み防止のための圧縮機加熱用ヒータ、サーミスタ、温度検出回路等を別途必要とすることなく、既存の温度検出手段を使用して冷媒寝込み防止のための電力消費を必要最小限にまで節減することができ、拘束通電のハンチングも回避される。
【００４０】
つぎの発明による空気調和機用圧縮機の冷媒寝込み防止制御方法によれば、圧縮機停止中に、外気温度検出手段により検出される外気温度が、圧縮機に冷媒が寝込む可能性がある第１の設定温度以下であり、かつ、放熱器温度検出手段により検出される放熱器温度が、インバータが駆動していないと想定できる第２の設定温度以下である場合に、圧縮機駆動用モータの巻線に拘束通電を行い、拘束通電中に、外気温度検出手段により検出される外気温度が第１の設定温度よりも高くなった場合、あるいは放熱器温度検出手段により検出される放熱器温度が第２の設定温度よりも高くなった場合に、拘束通電による圧縮機の加熱を停止するから、冷媒寝込み防止のための圧縮機加熱用ヒータ、サーミスタ、温度検出回路等を別途必要とすることなく、既存の温度検出手段を使用して冷媒寝込み防止のための電力消費を必要最小限にまで節減することができる。
【００４１】
つぎの発明による空気調和機用圧縮機の冷媒寝込み防止制御方法によれば、拘束通電による圧縮機の加熱停止後、冷媒が寝込む可能性のない所定時間の間は、拘束通電による圧縮機の加熱を禁止するから、拘束通電のハンチングが回避され、冷媒寝込み防止が行われる。
【００４２】
つぎの発明による空気調和機用圧縮機の冷媒寝込み防止制御方法によれば、圧縮機停止中に、外気温度検出手段により検出される外気温度が、圧縮機に冷媒が寝込む可能性がある第１の設定温度以下であり、かつ、放熱器温度検出手段により検出される放熱器温度が、インバータが駆動していないと想定できる第２の設定温度以下である場合に、圧縮機駆動用モータの巻線に拘束通電を行い、拘束通電中に、前記放熱器温度検出手段により検出される放熱器温度が充分に圧縮機を加熱したと推定できる第３の設定温度になった場合に、拘束通電による圧縮機の加熱を停止するから、冷媒寝込み防止のための圧縮機加熱用ヒータ、サーミスタ、温度検出回路等を別途必要とすることなく、既存の温度検出手段を使用して冷媒寝込み防止のための電力消費を必要最小限にまで節減することができ、拘束通電のハンチングも回避される。
【図面の簡単な説明】
【図１】  この発明による空気調和機用圧縮機の駆動制御装置の一つの実施の形態を示す構成図である。
【図２】  実施の形態１における拘束通電による圧縮機の加熱制御動作を示すフローチャートである。
【図３】  実施の形態２における拘束通電による圧縮機の加熱制御動作を示すフローチャートである。
【符号の説明】
１  交流電力、２  整流器、３  インバータ素子、４  放熱器、５  圧縮機駆動用モータ、６  圧縮機、７  インバータ制御装置、８  外気温度検出器、９  放熱器温度検出器、１０  冷媒寝込み防止制御部。
【図１】
0004322996.tif 000002
【図２】
0004322996.tif 000003
【図３】
0004322996.tif 000004